(57)【要約】【課題】常温条件下で水蒸気を１００°Ｃ以上に加熱した過熱水蒸気を容易且つ安価に発生することができる過熱水蒸気発生装置の提供。【解決手段】水を貯める給水タンク１と、この給水タンク１から水が供給される蒸発皿７と、該蒸発皿に貯められた水を吸水し、加熱する加熱部に相当するドーム形状の毛細管耐熱布５と、この毛細管耐熱布５を加熱するガスバーナ６とを設け、ガスバーナ６が、毛細管耐熱布５を加熱することにより吸引した水を水蒸気として発生すると共に加熱空気を前記水蒸気と混合させることにより、過熱水蒸気を発生するもの。更に前記毛細管耐熱布５が、不燃性繊維をドーム状に密に編み込んだ形状を成し、蒸発皿に貯められた水を毛細管現象により吸水し、また発生した過熱水蒸気の上昇気流を螺旋状に回転するガイド板によって回転空気流として排出するもの。【選択図】　図１
2004069168.tif 000002
【特許請求の範囲】
【請求項１】
常圧条件下で１００°Ｃ以上に加熱した過熱水蒸気を発生させる過熱水蒸気発生装置であって、水を貯める給水タンクと、該給水タンクから水が供給される蒸発皿と、該蒸発皿に貯められた水を蓄積して加熱する加熱部と、該加熱部を加熱する加熱源とを備え、前記加熱源が、加熱部を加熱することにより該加熱部に蓄積した水を水蒸気として発生させると共に前記加熱空気を水蒸気と混合させることにより、過熱水蒸気を発生することを特徴とする過熱水蒸気発生装置。
【請求項２】
前記加熱部が、不燃性繊維をドーム状に密に編み込んだ形状を成し、蒸発皿に貯められた水を毛細管現象により吸水して蓄積することを特徴とする請求項１記載の過熱水蒸気発生装置。
【請求項３】
前記発生した過熱水蒸気の上昇気流を螺旋状に回転するガイド板によって回転空気流として排出する螺旋蒸気流発生部を設けたことを特徴とする請求項１又は２記載の過熱水蒸気発生装置。
【発明の詳細な説明】
【０００１】
【発明の属する技術分野】
本発明は、１００°Ｃ以上に加熱した過熱水蒸気を発生することができる過熱水蒸気発生装置に係り、特に簡易な構成により安価に過熱水蒸気を発生することができる過熱水蒸気発生装置に関する。
【０００２】
【従来の技術】
一般に１００°Ｃ以上に加熱した過熱水蒸気を発生する過熱水蒸気発生装置が知られており、例えば医療機関における器具の加熱消毒に使用することが考えられる。
【０００３】
【発明が解決しようとする課題】
しかしながら従来技術による過熱水蒸気発生装置は、例えば水を加熱して水蒸気を発生させる水蒸気発生部と、該水蒸気発生部により発生させた水蒸気をタンク内で加圧した状態で加熱する加熱部とから構成されている。
【０００４】
この従来技術による過熱水蒸気発生装置は、加圧状態の水蒸気をタンク内で加熱するため、大量の過熱水蒸気を発生することができるものの、高出力の大型加熱部を必要とし、装置の大型化及び高コスト化を招くという不具合があった。
【０００５】
特に医療機関においては、ピンセットや試験管等の小型具を加熱消毒することが望まれているが、前述の如く大型装置を必要とするため、例えば病室等において看護婦等が簡易に加熱消毒を行うことが困難であると言う不具合があった。
【０００６】
本発明の目的は、前述の従来技術の不具合を除去することであり、小型軽量化且つ安価な過熱水蒸気発生装置を提供することである。
【０００７】
【課題を解決するための手段】
前記目的を達成するために本発明は、常圧条件下で１００°Ｃ以上に加熱した過熱水蒸気を発生させる過熱水蒸気発生装置であって、水を貯める給水タンクと、該給水タンクから水が供給される蒸発皿と、該蒸発皿に貯められた水を蓄積して加熱する加熱部と、該加熱部を加熱する加熱源とを備え、前記加熱源が、加熱部を加熱することにより該加熱部に蓄積した水を水蒸気として発生させると共に前記加熱空気を水蒸気と混合させることにより、過熱水蒸気を発生させることを第１の特徴とし、この過熱水蒸気発生装置において、前記加熱部が、不燃性繊維をドーム状に密に編み込んだ形状を成し、蒸発皿に貯められた水を毛細管現象により吸水して蓄積することを第２の特徴と、前記過熱水蒸気発生装置において、発生した過熱水蒸気の上昇気流を螺旋状に回転するガイド板によって回転空気流として排出する螺旋蒸気流発生部を設けたことを第３の特徴とする。
【０００８】
【発明の実施の形態】
以下、本発明の一実施形態による過熱水蒸気発生装置を図面を参照して詳細に説明する。図１は、本実施形態による過熱水蒸気発生装置の全体構成を説明するための図、図２は本実施形態による過熱水蒸気発生メカニズムの原理を説明するための図、図３は本発明の第１実施形態による過熱水蒸気調整機構を説明するための図、図４は本発明の第２実施形態による過熱水蒸気調整機構を説明するための図、図５は本実施形態による過熱水蒸気混合排出部を説明するための図、図６は本実施形態による過熱水蒸気発生装置による排出水蒸気温度特性を示す図である。
【０００９】
本実施形態による過熱水蒸気発生装置は、図１に示す如く、水を貯める貯水タンク１と、該貯水タンク１の貯水部２からの水が重力によりパイプ３を介して供給される円環状の蒸発皿７と、該蒸発皿７の受水部に下端が挿入されるドーム形状の毛細管耐熱布５と、該毛細管耐熱布５の下端に配置されるガスバーナ６と、該ガスバーナ６に近接して設けられ、前記パイプ３内の水を沸騰して排出する熱動ポンプ４と、前記毛細管耐熱布５やガスバーナ６の周囲を覆う円筒状の上昇気流加速円筒部９と、該上昇気流加速円筒部９と蒸発皿７間に配置され、前記ガスバーナ６により加熱された加熱空気を調整するための空気調節部１１とを備える。
【００１０】
前記ガスバーナ６は、ガスボンベ８からのガスを調整部６ａにより調整しながらガス燃焼を行うように構成され、ガスボンベ８は市販の家庭用コンロのガスボンベを使用することができる。また前記毛細管耐熱布５は、例えば石綿をドーム状に且つ毛細管現象により水を吸引可能な程度に密に編んだ耐熱布であり、下端の蒸発皿７の受水部に挿入した下端部分から水を毛細管現象によって吸い上げ、ドーム上の頂部に向かって水を供給して蓄積するように作用する。またこのドーム形状の毛細管耐熱布５は加熱部に相当する。
【００１１】
前記空気調整部１１は、例えば、多数の貫通孔を開口した円環状のリング板を２枚重ね、該リング板の貫通孔の開口度を調整することによって空気量を調整することができる。また前記熱動ポンプ４は、必ずしも必要なものではないが、例えば蒸発皿７の水がない場合、パイプ３内の水を沸騰して上部に押し上げる作用を成すものである。
【００１２】
本実施形態による過熱水蒸気発生装置は、図２に示す如く、ガスバーナ６の燃焼によって加熱空気の上昇気流２０ａを発生させ、毛細管耐熱布５を内部から加熱すると共に、前記空気調節部１１が前記加熱空気を毛細管耐熱布５の周囲に供給する。このとき前記の如く毛細管耐熱布５には常に水が毛細管現象によって供給されるため、毛細管耐熱布５の水が加熱されて水蒸気１０が発生し、この水蒸気１０が毛細管耐熱布５の編み目を介して排出される。この水蒸気１０は、毛細管耐熱布５の編み目を介して排出される加熱空気並びに前記空気調節部１１を介して排出される加熱空気と上昇気流加速円筒部９内において加熱混合されることにより、本装置は、１００°Ｃ以上に加熱された過熱水蒸気を排出することができる。
【００１３】
この様に本実施形態による過熱水蒸気発生装置は、毛細管耐熱布５によって、水蒸気を発生すると同時に前記発生した水蒸気を加熱するため、簡易な構成且つ常圧条件下において１００°Ｃ以上の過熱水蒸気を容易に発生させることができる。
【００１４】
具体的に説明すると本実施形態による過熱水蒸気発生装置は、図６に示す実験結果の如く、起動から約５分で約１５０°Ｃに達し、１５分以上経過すると約１７０〜１９０°Ｃに加熱した過熱水蒸気を排出することができる。
【００１５】
前記実施形態においては蒸発皿７の周囲配置した空気調節部１１が加熱空気を、ドーム状の毛細管耐熱布５上部に供給する例を説明したが、上昇気流加速円筒部９内周と円環状の蒸発皿７外周との間隔が狭い場合、前記空気調節部は第１の実施形態においては必ずしも必須のものではない。またこの空気調整部１１は前記実施形態のものに限られるものではなく、他の形態であっても良く、この他の実施形態による空気調節部を図３及び図４を参照して説明する。
【００１６】
図３は本発明の第２の実施形態による過熱水蒸気発生装置に使用する空気調節部を説明するための図である。本実施形態による空気調節部は、ドーム状の下面周囲に複数開口した開口部５０ａをもつ毛細管耐熱布５０と、該毛細管耐熱布５０の下端内周面に配置され、開口部７０ａ及び回転取手７０ｃをもつ調整リング７０とから構成され、前記毛細管耐熱布５０の開口部５０ａと調整リング７０の開口部７０ａの相対位置を回転取手７０ｃにより回転的に調整することによって、前記開口部５０ａを通過する過熱空気の流量を調整することができる。
【００１７】
図４は、本発明の第３の実施形態による過熱水蒸気発生装置に使用する空気調節部を説明するための図である。本実施形態による空気調節部は、上昇気流加速円筒部９の上部に配置され、円筒逆台形状の外形を成し、周囲壁に複数の開口部８０ｃが開口され且つ取手８０ｄが配置された外リング８０ａと、該外リング８０ａの内周面に配置され、円筒逆台形状の外形を成し、周囲壁に複数の開口部８０ｃが開口された内リング８０ｂとから構成され、前記上昇気流加速円筒部９内で蒸発皿７の周囲を通過する加熱空気の流通を、前記外リング８０ａ及びｂの開口部８０ｃの開口度（空気流通度）を調整することによって、加熱空気の蒸気に対する混合率を調整することができる。また本実施形態において水を加熱する加熱部は、前記ドーム状の毛細管耐熱布に限られるものではなく、例えば一定量の水が供給される単純な加熱受皿であっても良く、この場合、発生した水蒸気と加熱空気の混合は、前記内外リングの上方且つ上昇気流加速円筒部９内で行われる。
【００１８】
前記実施形態においては直円状の上昇気流加速円筒部９を用いて過熱水蒸気を上部に排出する例を説明したが、本発明による過熱水蒸気発生装置は、発生した過熱水蒸気を回転上昇気流として外部に排出することもでき、この螺旋蒸気流発生部を図５を参照して説明する。
【００１９】
図５は本実施形態による螺旋蒸気流発生部１００を示す図であり、この螺旋蒸気流発生部１００は、上部に向かって絞る様に開口された筒状の筒本体１０１と、該筒本体１０１の内面に上部に向かって螺旋状に旋回して配置されたガイド板１０２とから構成され、前述の実施形態に示した上昇気流加速円筒部９の上部に配置することより、過熱水蒸気を螺旋状に回転させながら排出する回転上昇気流とすることができる。
【００２０】
本実施形態による過熱水蒸気発生装置は、例えば試験管等の筒状器具の内部を加熱消毒を行う場合、回転蒸気流を発生するために管の内部奥まで加熱蒸気を供給し、殺菌を行うことができる。
【００２１】
尚、前記実施形態としては貯水タンク１からの水を蒸発皿に供給する水供給部として水位差を利用する例を説明したが、本発明はこれに限られるものではなく、例えば点滴に使用される一定量の水を落下させる弁構造を用いて蒸発皿或いは加熱部頂部に水を供給する様に構成しても良い。
【００２２】
【発明の効果】
以上述べた如く本発明による過熱水蒸気発生装置は、加熱源が、加熱部を加熱することにより該加熱部に蓄積した水を水蒸気として発生すると共に加熱空気を前記水蒸気と混合させて過熱水蒸気を発生する様に構成したことにより、簡易な構造で安価な過熱水蒸気発生装置を提供することができる。また前記加熱部が、不燃性繊維をドーム状に密に編み込んだ構造とすることにより、蒸発皿に貯められた水を毛細管現象により吸水することができ、更に発生した過熱水蒸気の上昇気流を螺旋状に回転するガイド板によって回転空気流として排出することにより、過熱水蒸気流を回転流とし、筒状の部位の内部も消毒することができる。
【図面の簡単な説明】
【図１】本発明の一実施形態による過熱蒸気発生装置の全体概要を説明するための図。
【図２】本発明による過熱水蒸気発生メカニズムの原理を説明するための図。
【図３】本発明の第１実施形態による過熱水蒸気調整機構を説明するための図。
【図４】本発明の第２実施形態による過熱水蒸気調整機構を説明するための図。
【図５】本実施形態による過熱水蒸気混合排出部を説明するための図。
【図６】本実施形態による過熱水蒸気発生装置による排出水蒸気温度特性を示す図。
【符号の説明】
１：貯水タンク，２：貯水部，３：パイプ，５：毛細管耐熱布，７：蒸発皿，６：ガスバーナ，４：熱動ポンプ，８：ガスボンベ，９：上昇気流加速円筒部。
【図１】
2004069168.tif 000003
【図２】
2004069168.tif 000004
【図３】
2004069168.tif 000005
【図４】
2004069168.tif 000006
【図５】
2004069168.tif 000007
【図６】
2004069168.tif 000008